(57)【要約】      （修正有）【課題】線形スライドレールが作動する時、振動や騒音及び過度の摩擦抵抗等が発生する現象を防止できる線形スライドレールの回転循環案内構造を提供する。【解決手段】スライドベース本体２は、収納空間２１と複数の係合部２３及び複数の案内穴２２があり、収納空間にスライドレールが収納され、縦方向に係合部が設けられ、案内部材３はそれぞれ二つの回転案内部３１と複数の係止部材３２、スペーサー３３及び複数の案内管３４を有し、係止部材が係合部に係止され、案内管が案内穴内に挿設されて、回転案内部に結合され、転動体４が転動的に回転循環経路上に設置され、これにより、案内部材の係止部材をスライドベース本体の係合部に係止され、スペーサーが凹み部２４に係止されることにより、プラスチック材料により成型された案内部材の強度不足を解消する。【選択図】図１
0003137444.tif 000002
【実用新案登録請求の範囲】
【請求項１】
スライドレールと、
収納空間と複数の係合部と二つの凹み部と複数の案内穴とを有し、前記収納空間は、凹むように形成されて前記スライドレールを収納し、前記係合部と前記凹み部は、当該スライドベース本体の内縁面に縦設され、前記案内穴は、当該スライドベース本体の前後両端面に貫設されるスライドベース本体と、
前記スライドベース本体の前後両端面を跨ぐと共に前記係合部と前記案内穴に対応するように、前記収納空間に設置され、また、それぞれ二つの回転案内部と複数の係止部材、スペーサー及び複数の案内管を備える複数の案内部材と、
前記スライドレールと前記スライドベース本体と前記案内部材とで形成された回転循環経路に、転動可能に設置される複数の転動体とを含み、
前記二つの回転案内部は、それぞれ、前記スライドベース本体の前後両端に設置され、前記係止部材と前記スペーサーは、前記二つの回転案内部の間に設置され、前記係止部材は、前記係合部に係止され、前記スペーサーの一側は、前記凹み部内に係止され、前記案内管は、それぞれ、前記案内穴内に挿設され、前記二つの回転案内部に、それぞれ、複数の第１の結合部があり、前記案内管の両端に、それぞれ、第２の結合部があり、前記第１の結合部が、前記回転案内部の内側面から延設されるように成型されると共に前記案内部材の縁に一致し、前記第１の結合部が、前記案内穴内に設置され、前記第２の結合部に結合されることを特徴とする線形スライドレールの回転循環案内構造。
【請求項２】
前記案内管の両端に、突出部があり、前記回転案内部において、円弧状溝が設けられ、前記突出部が、前記円弧状溝内に設置され、前記案内管が、二つの半円管からなることを特徴とする請求項１に記載の線形スライドレールの回転循環案内構造。
【請求項３】
前記係止部材がそれ自体から延設されて成型された被覆部を有し、前記被覆部が、前記転動体の表面を部分被覆することを特徴とする請求項１に記載の線形スライドレールの回転循環案内構造。
【請求項４】
前記スライドベース本体の前後両端面に、それぞれ、蓋体が嵌設され、前記スペーサーの両端に、それぞれ、挿設部が設けられ、前記二つの回転案内部に、それぞれ、挿入穴が設けられ、前記挿設部が、前記挿入穴内に挿設され、また、前記蓋体は、更に、位置付けブロックを有し、該位置付けブロックは、前記蓋体内側から突出するように成型されて、前記回転案内部の挿入穴内に設置されることを特徴とする請求項１に記載の線形スライドレールの回転循環案内構造。
【請求項５】
前記案内管は、更に、複数の給油道を有し、前記給油道は、前記案内管の両端に設置されることを特徴とする請求項１に記載の線形スライドレールの回転循環案内構造。
【考案の詳細な説明】
【技術分野】
【０００１】
本考案は、線形スライドレールの回転循環案内構造に関し、特に、転動体を、スライドベース本体とスライドレールとの間に、安定的に転動させ、所望の精密な回転循環運動を行うようにするものに関する。
【背景技術】
【０００２】
線形スライドレール裝置は、高精密度に相対移動を行うもので、一般的に、例えば、ＣＮＣ等の工作機に適用され、その後の高精密工程の作業を行うため、搭載物を精密的に校正したり移動したりする。
【０００３】
従来の線形スライドレールは、スライドベース本体と、スライドレールと、案内部材と、複数の転動体とを備える。
【０００４】
スライドベース本体は、摺動可能にスライドレール上に設置され、対向する案内穴を有するとともに、該案内部材が、スライドベース本体とスライドレールとの間に設置される構成により、回転循環経路を形成する。転動体は、該回転循環経路において、高速転動である回転循環運動を行い、転動体により、スライドベース本体が、スライドレール上において、無段式精密線形移動を行い、これにより、精密に搭載物の相対位置を校正や移動できる。
【０００５】
しかし、従来の線形スライドレールにおいては、作動する時、不安定となる現象が発生しており、転動体が、スライドレールとスライドベースとの間において、高速な回転循環運動を行う際に、線形スライドレールが精密に運動することができるように高い安定性を維持しなければならない。しかしながら、案内部材は、一般的に、プラスチック材料から成型され、転動体が、案内部材に沿って高速に転動する時、プラスチック材料の強度がやや低いため、案内部材と転動体が、スライドベース本体とスライドレールとの間において振動し、騒音や過度の摩擦抵抗が発生しやすくなり、そのため、直接的あるいは間接的に、線形スライドレールの作動安定性や耐用寿命に悪影響を与えていた。
【０００６】
本考案者は、上記の諸問題を解消するため、慎重に研究開発し、また、学理の応用に合わせて、設計が合理で、有効に、上記の諸欠点を解消である本考案を提案する。
【考案の開示】
【考案が解決しようとする課題】
【０００７】
本考案の主な目的は、線形スライドレールが作動する時、振動や騒音及び過度の摩擦抵抗等が発生する現象を防止できる線形スライドレールの回転循環案内構造を提供する。
【課題を解決するための手段】
【０００８】
本考案は、上記の目的を達成するために、スライドレールと、収納空間及び複数の係合部、二つの凹み部、複数の案内穴を有し、前記収納空間は、凹むように形成されて前記スライドレールを収納し、前記係合部と前記凹み部は、前記スライドベース本体の内縁面に縦設され、前記案内穴は、前記スライドベース本体の前後両端面に貫設されるスライドベース本体と、前記スライドベース本体の前後両端面を跨ぐと共に前記係合部と前記案内穴に対応するように、前記収納空間に設置され、また、それぞれ二つの回転案内部と複数の係止部材、スペーサー及び複数の案内管を備える複数の案内部材と、前記スライドレールと前記スライドベース本体と前記案内部材とで形成された回転循環経路に、転動可能に設置される複数の転動体とを含み、前記二つの回転案内部は、それぞれ、前記スライドベース本体の前後両端に設置され、前記係止部材と前記スペーサーは、前記二つの回転案内部の間に設置され、前記係止部材は、前記係合部に係止され、前記スペーサーの一側は、前記凹み部内に係止され、前記案内管は、それぞれ、前記案内穴内に挿設され、前記二つの回転案内部に、それぞれ、複数の第１の結合部があり、前記案内管の両端に、それぞれ、第２の結合部があり、前記第１の結合部が、前記回転案内部の内側面から延設されるように成型されると共に前記案内部材の縁に一致し、前記第１の結合部が、前記案内穴内に設置され、前記第２の結合部に結合されることを特徴とする線形スライドレールの回転循環案内構造を提供する。
【０００９】
本考案によれば、前記案内部材の係止部材が、前記スライドベース本体の係合部に係止されることと、前記スペーサーが前記凹み部に係止されることにより、プラスチック材料から成型された案内部材が強度不足であることを解消し、前記転動体が、確実に、前記案内部材に沿って、安定的に回転循環運動を行い、有効に、振動や騒音及び過度の摩擦抵抗等が発生する現象を防止でき、そのため、線形スライドレール裝置の作動安定性と耐用寿命が向上される。
【００１０】
以下、図面を参照しながら、本考案の特徴や技術内容について、詳しく説明するが、本考案は、それによって制限されることがない。
【考案を実施するための最良の形態】
【００１１】
図１乃至図６を参照すると、本考案に係わる線形スライドレールの回転循環案内構造はスライドレール１と、スライドベース本体２、二つの案内部材３及び複数の転動体４を備え、これにより、転動体４が、所望の回転循環運動を行い、スライドベース本体２が、スライドレール１上において、線形的な相対運動を行う。
【００１２】
図１と図７を参照すると、スライドレール１は、線形に伸ばして成型された長尺レールであり、スライドベース本体２は、収納空間２１があり、該収納空間２１は、スライドベース本体２の底端が凹むように成型され、スライドレール１は、スライドベース本体２内に収納される。
【００１３】
スライドベース本体２は、収納空間２１内の対向する二つの内側縁面上に、２対の係合部２３と二つの凹み部２４が設けられる。係合部２３と凹み部２４は、凹槽状構造であり、内側縁面上において、凹むように成型され、また、スライドベース本体２の前後両端面に連通する。スライドベース本体２の前後端面において、収納空間２１の近くに、２対の案内穴２２があり、該らの案内穴２２は、縦方向に、スライドベース本体２の前後両端面に貫通する。
【００１４】
図１乃至図４を参照すると、二つの案内部材３が、プラスチック材料から成型される。二つの案内部材３は、それぞれ、二つの回転案内部３１と二つの係止部材３２、スペーサー３３及び二つの案内管３４を備える。
【００１５】
二つの回転案内部３１は、半円弧状槽であり、転動体４が、それによって案内されて回転作動を行う。二つの係止部材３２とスペーサー３３は、縦方向に縦設されるように、二つの回転案内部３１同士の間に設置される。係止部材３２は、縦方向に、係合部２３に係合されて、これにより案内部材３とスライドベース本体２との結合強度と作動安定性が向上される。係止部材３２は、横方向に、被覆部３２１が伸ばされ、該被覆部３２１は、転動体４に対応して成型され、一部が、転動体４の周表面を被覆する。スペーサー３３は、長尺棒体であり、その両端に、それぞれ、挿設部３３１があり、一方、二つの回転案内部３１は、それぞれ、挿入穴３１３があり、スペーサー３３の挿設部３３１は、挿入穴３１３内に挿設され、これにより、スペーサー３３が、平行に二つの係止部材３２同士の間に設置される。スペーサー３３の一側は、凹み部２４内に係止され、もう一側が、スライドレール１の側縁に対面し、これにより、転動体４が、間隔を置いて案内部材３上を転動できる。
【００１６】
二つの案内管３４は、それぞれ、案内穴２２内に挿設される。回転案内部３１には、複数の対向する第１の結合部３１１があり、第１の結合部３１１は、案内管３４の端面の外型に対応して突出して成型され、一方、案内管３４の両端には、それぞれ、第２の結合部３４１があり、第２の結合部３４１は、第１の結合部３１１に対応して凹んで成型される。二つの回転案内部３１の第１の結合部３１１は、案内穴２２内まで伸びて位置するように設置され、それぞれ、案内管３４の両端に位置する第２の結合部３４１に接合され、これにより、位置付けの効果が得られる。また、回転案内部３１には、円弧状溝３１２が形成され、案内管３４の両端面には、第２の結合部３４１の近くに、突出部３４２があり、突出部３４２は、円弧状溝３１２内に設置される。実装する際、突出部３４２により、実装の案内と正確に位置付けの効果が得られ、これにより、ユーザーが案内部材３を組み立てる時の便利性と正確度が向上される。
【００１７】
スライドレール１とスライドベース本体２及び案内部材３は、共同して回転循環経路を形成し、それにより、転動体４が循環運動を行う際に連続的に作動軌跡が提供される。転動体４は、ボールやローラで、保持器４１内に直列に配置される。保持器４１により、転動体４が回転循環経路において安定的に作動し、好ましくない衝撃や振動の現象を防止できる。転動体４は保持器４１とともに転動できるように、回転循環経路上に設置される。
【００１８】
図７を参照すると、スライドベース本体２の前後両端面に、それぞれ、スライドベース本体２の端面に対応して成型される蓋体２５が嵌設される。蓋体２５の内側には、複数の回転案内部３１に対応して成型される湾曲槽２５１があり、該湾曲槽２５１は、回転案内部３１とともに、転動体４が案内穴２２の出口において、回転するように案内し、これにより、循環運動の目的が実現される。蓋体２５の内側には、複数の第１の実装穴２５２があり、第１の実装穴２５２は、実装部３１４に対応するように、湾曲槽２５１の周縁に設置される。
【００１９】
実装部３１４は、突出した柱体で、蓋体２５の第１の実装穴２５２内に挿設されるように、回転案内部３１に、実装される。
【００２０】
組み立てる時、まず、案内管３４を、それぞれ、案内穴２２内に挿設する。また、二つの案内部材３を、それぞれ、収納空間２１の二つの内側面から、スライドベース本体２の前後両端を跨ぐようにして、また係止部材３２とスペーサー３３が、それぞれ、係合部２３と二つの凹み部２４に対応するように、設置する。これにより、スペーサー３３は、スライドレール１とスライドベース本体２との間に配置され、転動体４は、スライドレール１とスライドベース本体２との間に位置される。最後に、二つの蓋体２５を、スライドベース本体２の前後両端面に嵌設する。
【００２１】
図５は、スペーサー３３の他の実施例であり、該スペーサー３３は、一体成型により、案内部材３上に設置され、転動体４は、保持器４１を必要せず、直接、案内部材３上に設置される。
【００２２】
図６は、案内管３４の他の実施例であり、該案内管３４は、二つの半円管３４３からなる。この方式により、離型作業の困難度を低減でき、より良い成型効果が得られ、また製造コストを大幅に低減できる。
【００２３】
図８と図９を参照すると、蓋体２５の内側に、二つの対向する第２の実装穴２５３が設置され、該第２の実装穴２５３は、挿設部３３１に対応するように、二つの湾曲槽２５１同士の間に設置される。蓋体２５の内側において、第２の実装穴２５３の近くに、位置付けブロック２５４が設置され、該位置付けブロック２５４は、挿入穴３１３に対応して突出するように成型される。これにより、位置付けブロック２５４が、挿入穴３１３内に収納され、また、スペーサー３３の挿設部３３１が、挿入穴３１３内に挿設されて、位置付けブロック２５４に接触し、これにより、回転案内部３１とスペーサー３３が、正確に蓋体２５の内側に設置され、また、位置付けブロック２５４がスライドベース本体２の前後両端面に嵌設される（図７参照）。
【００２４】
図１０のように、案内管３４には、更に、複数の給油道３４４がある。給油道３４４は、案内管３４の両端に設置され、案内管３４と回転案内部３１とが隣接する位置に、案内管３４の内外縁面に連接する通道が形成され、これにより、潤滑油等油料が通過でき、転動体４の作動がよりスムーズになる。
【００２５】
案内部材３の作用により、転動体４は、スライドベース本体２とスライドレール１との間において、循環回転運動を行い、これにより、スライドベース本体２は、スライドレール１上において、スムーズな線形移動を行える。
【００２６】
案内部材３は、金型により成型される場合、離型作業を行う際に、案内部材３の幾何外型は、横方向（即ち、相対的に短い方向）に、予め設定された抜け勾配が要らず（或いは、僅かの抜け勾配でよい）、直接離型できる。これにより、案内部材３のサイズは、より良い精度を有し、回転循環運動を行う時に、より良い工作性能が得られる。本考案により得られた効果や特長は、次のようである。案内部材３の係止部材３２を、スライドベース本体２の係合部２３に係合させ、スペーサー３３を、凹み部２４に係合させる作用により、プラスチック材料により成型された案内部材３の強度が不足する問題を解消できる。そのため、転動体４は、案内部材３に沿って、安定的に回転循環運動を行い、有効に、振動や騒音及び過度の摩擦抵抗等の現象を防止でき、線形スライドレール裝置の作動安定性や耐用寿命が向上される。
【００２７】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００２８】
【図１】本考案に係わる線形スライドレールの回転循環案内構造の分解図である。
【図２】本考案に係わる線形スライドレールの回転循環案内構造のスライドベース本体の側面図である。
【図３】本考案に係わる線形スライドレールの回転循環案内構造の組み立て断面図である。
【図４】本考案に係わる案内部材の組み立て立体概念図である。
【図５】本考案に係わる案内部材の他の実施例の立体図である。
【図６】本考案に係わる案内管の他の実施例の立体図である。
【図７】本考案に係わる線形スライドレールの回転循環案内構造の立体組み立て図である。
【図８】本考案に係わる蓋体の立体分解図である。
【図９】本考案に係わる蓋体の立体概念図である。
【図１０】本考案に係わる案内管の給油道の立体概念図である。
【符号の説明】
【００２９】
１    スライドレール
２    スライドベース本体
２１  収納空間
２２  案内穴
２３  係合部
２４  凹み部
２５  蓋体
２５１  湾曲槽
２５２  第１の実装穴
２５３  第２の実装穴
２５４  位置付けブロック
３      案内部材
３１    回転案内部
３１１  第１の結合部
３１２  円弧状溝
３１３  挿入穴
３１４  実装部
３２    係止部材
３２１  被覆部
３３    スペーサー
３３１  挿設部
３４    案内管
３４１  第２の結合部
３４２  突出部
３４３  半円管
３４４  給油道
４      転動体
４１    保持器
【図１】
0003137444.tif 000003
【図２】
0003137444.tif 000004
【図３】
0003137444.tif 000005
【図４】
0003137444.tif 000006
【図５】
0003137444.tif 000007
【図６】
0003137444.tif 000008
【図７】
0003137444.tif 000009
【図８】
0003137444.tif 000010
【図９】
0003137444.tif 000011
【図１０】
0003137444.tif 000012